(57)【特許請求の範囲】
【請求項１】
車高調節部を介して走行部（２）により支持した平面視で略矩形状の機体フレーム（３）と、この機体フレーム（３）上に搭載した脱穀部（５）と、該脱穀部（５）下部の選別部の外側面を覆うべく同機体フレーム（３）よりも外側方に偏倚する位置に配置した選別部カバー（５ａ）とを有するコンバインにおいて、
上記機体フレーム（３）の四隅には、走行部（２）を浮上状態に機体を支持しうる支持脚（８ａ，８ｂ）を機体フレーム（３）に沿う収納保持位置（Ｕ）まで回動可能に軸支し、これら支持脚（８ａ，８ｂ）の中の上記選別部カバー（５ａ）の側に配置した前後の支持脚（８ａ）には、それぞれ先端にネジ回転式の長さ調節部（２１）を介して接地板（２２ａ）を設け、この接地板（２２ａ）をそれぞれの支持脚（８ａ）の回動支点（１１ａ，１２ａ）より高い位置（ｈ１，ｈ２）で選別部カバー（５ａ）の内側に収納保持可能な構成とし、
上記支持脚（８ａ，８ｂ）の中の上記選別部カバー（５ａ）を設けた側とは反対の側に配置した前後の支持脚（８ｂ）は、それぞれ先端にネジ回転式の長さ調節部（２１）を介して接地板（２２ｂ）を設け、
同支持脚（８ｂ）の収納位置には、接地板（２２ｂ）の周辺部と当接して固定しうる受板（２５ａ，２５ｂ）を設け、かつ、前側の支持脚（８ｂ）の前面に圃場に植立する作物を後方に案内可能なガイド部材（１５ａ）を設けたことを特徴とするコンバイン。
【発明の詳細な説明】
【技術分野】
【０００１】
本発明は、車高調節可能な走行部によって機体を支持するとともに、脱穀部の唐箕カバー（選別部カバー）を機体側部に備えるコンバインに関するものである。
【背景技術】
【０００２】
特許文献１に記載のコンバインは、車高調節部を介して左右のクローラにより機体フレームを支持して構成され、機体フレームの下部には、機体浮上支持のために、スタンドの受座を設けたものである。機体を浮上させる場合は、機体フレームの受座に合わせてその下方にスタンドを配置した上で車高を下げることにより、クローラを地面から浮かせてクローラの点検やクローラベルトの着脱等の走行部周りのメンテナンスを行うことができる。
【先行技術文献】
【特許文献】
【０００３】
【特許文献１】実公平７−１８２６６号公報
【発明の概要】
【発明が解決しようとする課題】
【０００４】
しかしながら、機体浮上支持手段としての堅固なスタンドを機体フレームの下方で左右のクローラの間の所定位置に合わせて機体を安定して浮上させるためには、作業場所の地盤選定等の安全確保のための十分な事前準備を要する上に、機体フレーム下の狭いスペースによる制限下において取扱いの困難な重量物の位置合わせ操作を強いられることとなり、また、走行部周りのメンテナンスを終了してスタンドを使用しないときに、機上に保管スペースが無いことから、その収納保管等の取扱いに悩まされるという問題があった。
【０００５】
その一方で、スペースおよび機器配置の自由度の少ない機体上にスタンド等の機体浮上支持手段を搭載するように構成するとしても、圃場作物との干渉の問題を生じないように搭載スペースを確保することは非常に困難であった。
【０００６】
本発明の目的は、走行部を地面から浮かすための機体浮上支持手段を用いて、簡易な操作により安定して走行部の浮上メンテナンスが可能となり、かつ、機体浮上支持手段を使用しないときに、収納保管等の煩わしい取扱いや収穫走行の際の圃場作物との干渉等の問題を招くことのないコンバインを得ることにある。
【課題を解決するための手段】
【０００７】
請求項１記載の発明は、車高調節部を介して走行部（２）により支持した平面視で略矩形状の機体フレーム（３）と、この機体フレーム（３）上に搭載した脱穀部（５）と、該脱穀部（５）下部の選別部の外側面を覆うべく同機体フレーム（３）よりも外側方に偏倚する位置に配置した選別部カバー（５ａ）とを有するコンバインにおいて、上記機体フレーム（３）の四隅には、走行部（２）を浮上状態に機体を支持しうる支持脚（８ａ，８ｂ）を機体フレーム（３）に沿う収納保持位置（Ｕ）まで回動可能に軸支し、これら支持脚（８ａ，８ｂ）の中の上記選別部カバー（５ａ）の側に配置した前後の支持脚（８ａ）には、それぞれ先端にネジ回転式の長さ調節部（２１）を介して接地板（２２ａ）を設け、この接地板（２２ａ）をそれぞれの支持脚（８ａ）の回動支点（１１ａ，１２ａ）より高い位置（ｈ１，ｈ２）で選別部カバー（５ａ）の内側に収納保持可能な構成とし、上記支持脚（８ａ，８ｂ）の中の上記選別部カバー（５ａ）を設けた側とは反対の側に配置した前後の支持脚（８ｂ）は、それぞれ先端にネジ回転式の長さ調節部（２１）を介して接地板（２２ｂ）を設け、同支持脚（８ｂ）の収納位置には、接地板（２２ｂ）の周辺部と当接して固定しうる受板（２５ａ，２５ｂ）を設け、かつ、前側の支持脚（８ｂ）の前面に圃場に植立する作物を後方に案内可能なガイド部材（１５ａ）を設けたことを特徴とするコンバインとする。
【０００８】
上記支持脚（８ａ，８ｂ）は、回動操作によって垂下姿勢の浮上支持位置に準備でき、次いで車高調節部によって車高を下げると機体フレーム（３）の四隅が支持されて走行部（２）が浮上し、このとき、半数の支持脚の長さ調節部により地面に凹凸があっても機体を安定支持することができ、その後に浮上状態から復旧する場合は、コンバインの車高を高くすることによって機体フレーム（３）に沿う収納保持位置（Ｕ）まで支持脚（８ａ，８ｂ）の回動操作が可能となり、選別部カバー（５ａ）の側に配置の前後の支持脚（８ａ）は、それぞれの回動支点より高い位置に接地板（２２ａ）を保持することによって同接地板（２２ａ）が安定保持され、また、選別部カバー（５ａ）により、圃場に植立する作物との干渉が回避される。
また、機体フレーム（３）の他側に配置の前後の支持脚（８ｂ）は、長さ調節可能な接地板（２２ｂ）によって機体の安定支持が可能となり、この接地板（２２ｂ）は収納位置の受板（２５ａ，２５ｂ）によって当接固定されることから、支持脚（８ｂ）を収納保持位置（Ｕ）に回動することによって接地板（２２ｂ）が安定保持され、また、支持脚（８ｂ）の前面のガイド部材（１５ａ）が圃場に植立する作物を後方に案内することができる。
【発明の効果】
【０００９】
請求項１の発明によると、上記支持脚（８ａ，８ｂ）は、回動操作によって浮上支持位置と収納保持位置（Ｕ）とに切替えが可能で、支持脚（８ａ，８ｂ）が浮上支持位置の場合は、車高調節によって走行部（２）の浮上と下降が可能となり、選別部カバー（５ａ）の側に配置の前後の支持脚（８ａ）は、その長さ調節部により地面の凹凸に対応でき、収納位置で接地板（２２ａ）が安定保持されるとともに、外側の選別部カバー（５ａ）により、圃場に植立する作物との干渉が回避される。
【００１０】
したがって、上記構成のコンバインは、収納保管の取扱いの問題を生じることのない機上構成の機体浮上支持手段の簡易な操作により安定して走行部（２）を浮上支持して確実なメンテナンス作業が可能となり、また、選別部カバー（５ａ）の側の支持脚（８ａ）を選別部カバー（５ａ）内に確実に安定して収納することができるので、圃場に植立する作物を傷めることなく、唐箕カバー（５ａ）の側を未刈り側として収穫走行が可能となる。
また、機体フレーム（３）の他側に配置の前後の支持脚（８ｂ）は、長さ調節可能な接地板（２２ｂ）によって安定支持が可能となり、この接地板（２２ｂ）は、収納位置の受板（２５ａ，２５ｂ）によって当接固定されることから、支持脚（８ｂ）を収納保持位置（Ｕ）に回動することによって接地板（２２ｂ）が安定保持され、また、支持脚（８ｂ）の前面のガイド部材（１５ａ）が圃場の作物を後方に案内可能なことから、圃場作物が支持脚（８ｂ）に干渉する中割走行等の場合においても、圃場の作物の保護を確保しつつ刈取走行することができる。
【図面の簡単な説明】
【００１１】
【図１】機体浮上支持状態のコンバインの側面図
【図２】図１のコンバインのフレーム配置を付記した平面図
【図３】機体フレームの平面図
【図４】進行左側の支持脚の要部拡大正面図
【図５】進行左側の支持脚の収納状態の拡大側面図
【図６】進行右側の前側支持脚の支持状態の拡大側面図（ａ）と収納状態の正面図（ｂ）
【図７】進行右側の後側支持脚の収納状態の要部拡大平面図（ａ）と側面図（ｂ）
【図８】操縦部まわりの側面図
【図９】補助台使用による浮上支持の側面図
【図１０】補助台の平面図（ａ）および側面図（ｂ）
【図１１】補助台の使用状態の背面図（ａ）および側面図（ｂ）
【図１２】機体後端部の平面図および縦断面図
【図１３】機体後端部の平面図および縦断面図
【発明を実施するための形態】
【００１２】
上記技術思想に基づいて具体的に構成された実施の形態について以下に図面を参照しつつ説明する。
図１および図２は、それぞれ機体浮上支持状態のコンバインの側面図、同コンバインのフレーム配置を付記した平面図である。
【００１３】
コンバイン１は、圃場走行を可能とする左右のクローラ２，２等による走行部と、機体水平用の車高調節部を介して走行部により支持される略矩形状の機体フレーム３と、この機体フレーム３の前部の刈取部４と、その後方で左右に配置した脱穀部５および穀粒貯留部６とを備え、脱穀部５の後部に藁排出部５ｄ、穀粒貯留部６の前側に操縦部７を配置して構成される。
【００１４】
進行左側に配した脱穀部５の外側面には、唐箕カバー（選別部カバー）５ａを機体フレーム３の外側方まで張出して備え、また、機体フレーム３の四隅には、走行部２を浮上状態に機体を支持するための機体浮上支持手段である左右の支持脚８ａ，８ｂを機体フレーム３に沿って設けた収納保持位置Ｕまで回動可能に軸支する。
【００１５】
機体フレーム３は、その平面図を図３に示すように、車幅方向に延びる前後のクロスビーム１１，１２、およびこれらを前後に接続する左右のサイドビーム１３，１４によって略矩形状に構成し、前後のクロスビーム１１，１２の進行左側端には、ビーム内にそれぞれ軸線方向の支軸１１ａ，１２ａを設け、これら支軸１１ａ，１２ａによって前後の支持脚８ａ，８ａをそれぞれ回動可能にＬ字型構成に軸支する。
【００１６】
また、操縦部７に及ぶ右のサイドビーム１４の先端および後のクロスビーム１２の進行右端には、ビーム内にそれぞれ軸線方向の支軸１４ａ，１２ａを設け、これら支軸１４ａ，１２ａによって前後の支持脚８ｂ，８ｂをそれぞれ回動可能にＬ字型構成に回動可能に軸支する。この進行右側の前後の支持脚８ｂ，８ｂの収納位置Ｕ，Ｕには、少なくともそれぞれの前面側から圃場の作物を後方に案内可能な前後のガイド部材１５ａ，１５ｂを設ける。
【００１７】
進行左側の前後の支持脚８ａ，８ａの構成は、図４の要部拡大正面図に示すように、唐箕カバー５ａより内側位置に固定ピンにより伸縮可能に構成し、それぞれの先端にはネジによる回転式の長さ調節部２１，２１を介して接地板２２ａ，２２ａを備え、また、収納状態の拡大側面図を図５に示すように、支持脚８ａ，８ａを短縮した状態で、それぞれの基部の回動支点１１ａ，１２ａより高い位置ｈ１，ｈ２で接地板２２ａ，２２ａを唐箕カバー５ａの内側の収納保持位置Ｕ，Ｕに収容可能に、ピン固定可能なアーム２３ａ，２３ｂを支持脚８ａ，８ａの基部に設けて構成する。
【００１８】
進行右側の前後の支持脚８ｂ，８ｂは、上記同様に長さ調節部２１，２１を介して接地板２２ｂ，２２ｂをそれぞれ備える。前側の支持脚８ｂについては、図６の支持状態の拡大側面図（ａ）、収納状態の正面図（ｂ）に示すように、支持位置Ｌと収納位置Ｕに保持可能に回動支軸１４ａの脇に固定ピン部２４ａを設け、接地板２２ｂを正方形等の多角形状に形成するとともに、収納位置Ｕには、接地板２２ｂの回り止めとして、接地板２２ｂの周辺部と当接して固定する受板２５ａを設ける。
【００１９】
後側の支持脚８ｂについては、図７の収納状態の要部拡大平面図（ａ）と側面図（ｂ）に示すように収納保持位置Ｕに保持可能に、ピン固定可能なアーム２４ｂ，２４ｂを支持脚８ａの基部に設け、また、接地板２２ｂを正方形等の多角形状に形成するとともに、収納位置Ｕには、接地板２２ｂの回り止めとして、接地板２２ｂの周辺部と当接して固定する受板２５ｂを右のサイドビーム１４の後部に設ける。
【００２０】
上記の如く構成したコンバインは、四隅の支持脚８ａ，８ｂを回動して支持位置Ｌに支持準備した上で、コンバインの車高を低く調節することにより、機体フレーム３の四隅が支持脚８ａ，８ｂにより支持されて走行部２が浮上し、この支持脚８ａ，８ｂのそれぞれの長さ調節部２１により安定接地が可能となり、復旧時はコンバインの車高を高く調節することにより、支持脚８ａ，８ｂの回動操作によって機体フレーム３に沿って収納位置Ｕに保持され、また、唐箕カバー５ａの側に配置の前後の支持脚８ａ，８ａは、それぞれの回動支点１１ａ，１２ａより高い位置ｈ１，ｈ２に接地板２２ａを上向きに保持することによって同接地板２２ａ，２２ａの脱落を招くことなく、安定保持が可能となり、また、唐箕カバー５ａの内側に収納保持することにより、圃場に植立する作物の保護が可能となる。
【００２１】
したがって、上記構成のコンバインは、収納保管の取扱いの問題を生じることのない機上構成の機体浮上支持手段の簡易な操作により安定して走行部を浮上支持して確実なメンテナンスが可能となり、また、唐箕カバーの側の支持脚をカバー内に確実に安定して収納することができるので、圃場の作物を傷めることなく、唐箕カバーの側を未刈り側として収穫走行が可能となる。
【００２２】
また、機体フレームの他側に配置の前後の支持脚８ｂ，８ｂは、長さ調節可能な接地板２２ｂ，２２ｂによって安定支持が可能となり、この接地板２２ｂ，２２ｂは多角形状で、収納位置の受板２５ａ，２５ｂによって当接固定されることから、支持脚８ｂ，８ｂをそれぞれ収納保持位置Ｕ，Ｕに回動することによって接地板２２ｂ，２２ｂが安定保持され、また、支持脚８ｂ，８ｂの前面のガイド部材１５ａ，１５ｂが圃場の作物の絡まりを招くことなく、後方に案内可能なことから、圃場の作物が支持脚８ｂ，８ｂに干渉する中割り走行の場合であっても、圃場の作物の保護を確保しつつ刈取走行することができる。
【００２３】
（ガード板）
また、操縦部７の外側部の低位置には、図８の操縦部まわりの側面図に示すように、下垂状にガード板２６を設ける。このガード板２６は、機体に乗り降りする際に、足がクローラ２に巻き込まれないように、機体の右前の支持脚８ｂの後方でクローラ２の露出部に設ける。
【００２４】
（補助台）
補助台を使用して走行部２を浮上させる場合は、図９の補助台使用による浮上支持の側面図に示すように、台形状に構成した２つの補助台３１，３１を機体後部に搭載可能に構成する。
詳細には、補助台３１は、図１０の平面図（ａ）および側面図（ｂ）に示すように、細長部材の４つの外周部のそれぞれに傾斜面３１ａ，３１ｂを形成し、上下方向の２つの貫通孔３１ｃ，３１ｃを中央線から側方に変移した位置に形成し、両側の傾斜面３１ｂ，３１ｂに取手３２，３２を設ける。
【００２５】
補助台３１の大きさは、図１１の使用状態の背面図（ａ）および側面図（ｂ）に示すように、機体を安定支持するために、クローラ２の第１転輪から最終転輪までの距離Ｌ１より上面全長Ｌ２を長く、また、機体の外側方から引き出して効率よく作業ができるように、下面全長Ｌ３を支持脚内側間距離Ｌ４より短く形成する。
【００２６】
また、２つの補助台３１，３１を一体ユニットとして機体後部に着脱可能に搭載するために、機体後端部の平面図および縦断面図をそれぞれ図１２、図１３に示すように、藁排出部５ｄのオープン動作に必要な開閉幅Ｗの吊り側となる右側端の範囲内に、着脱可能に構成した横長の収納座３４を設け、この収納座３４の下辺近傍位置に２つのスタッド部材３５，３５を起設する。このスタッド部材３５，３５は、２つの補助台３１，３１を収納座３４に２段に重ねて固定するために、２つの貫通孔３１ｃ，３１ｃに挿通可能に配置する。
【００２７】
また、収納座３４によって２つの補助台３１，３１を収納した状態において、藁の後方排出に邪魔にならないように、藁排出部５ｄの排出口に臨む排出板３６の傾斜面に合わせて収納座３４の上部にカバー３７を設け、さらに、２つの補助台３１，３１の上側の傾斜面３１ｂ，３１ｂが連続するようにその傾斜角を定めるとともに、２つの貫通孔３１ｃ，３１ｃの側方変移位置を定める。
【符号の説明】
【００２８】
１  コンバイン
２  クローラ（走行部）
３  機体フレーム
５  脱穀部
５ａ  唐箕カバー（選別部カバー）
８ａ  支持脚
８ｂ  支持脚
１１  クロスビーム
１１ａ  回動支点
１２  クロスビーム
１２ａ  回動支点
１３  サイドビーム
１４  サイドビーム
１４ａ  回動支軸（支点）
１５ａ  ガイド部材
２１  調節部
２２ａ  接地板
２２ｂ  接地板
２５ａ  受板
２５ｂ  受板
ｈ１  高さ位置
ｈ２  高さ位置
Ｌ  支持位置
Ｕ  収納保持位置
【図１】
0005544925.tif 000002
【図２】
0005544925.tif 000003
【図３】
0005544925.tif 000004
【図４】
0005544925.tif 000005
【図５】
0005544925.tif 000006
【図６】
0005544925.tif 000007
【図７】
0005544925.tif 000008
【図８】
0005544925.tif 000009
【図９】
0005544925.tif 000010
【図１０】
0005544925.tif 000011
【図１１】
0005544925.tif 000012
【図１２】
0005544925.tif 000013
【図１３】
0005544925.tif 000014